(57)【要約】【課題】布製の可撓性シートであっても、大きな荷重が掛かったときに大きく凹むことの無い、保形性のある排出媒体スタック装置を備えた記録装置を提供すること。【解決手段】本発明に係る記録装置は、被記録媒体を送る給送部３と、前記給送部により給送される前記被記録媒体に記録を実行する記録部５と、前記記録部から排出される前記被記録媒体を受ける排出媒体スタック部７とを備え、前記排出媒体スタック部は、排出される前記被記録媒体を載置する可撓性シート１１と、排出される前記被記録媒体を受け入れる側である前記可撓性シートの基端側と先端側との間で当該可撓性シートを所定形状に保形する保形部材２９とを備える。【選択図】図５
2008239288.tif 000002
【特許請求の範囲】
【請求項１】
被記録媒体を送る給送部と、
前記給送部により給送される前記被記録媒体に記録を実行する記録部と、
前記記録部から排出される前記被記録媒体を受ける排出媒体スタック部と、を備え、
前記排出媒体スタック部は、
排出される前記被記録媒体を載置する可撓性シートと、
排出される前記被記録媒体を受け入れる側である前記可撓性シートの基端側と先端側との間で当該可撓性シートを所定形状に保形する保形部材と、
を備えることを特徴とする記録装置。
【請求項２】
請求項１に記載の記録装置において、前記排出媒体スタック部は、排出される前記被記録媒体を受け入れる側である前記可撓性シートの基端側を保持する基端保持部と、前記可撓性シートの先端側を保持する先端保持部とを備え、前記保形部材は、前記基端保持部と先端保持部との間で前記可撓性シートを所定形状に保形することを特徴とする記録装置。
【請求項３】
請求項１又は２に記載の記録装置において、前記保形部材は線状材であり、前記可撓性シートは前記線状材により送り方向に凹曲面に保形されていることを特徴とする記録装置。
【請求項４】
請求項３に記載の記録装置において、前記線状材は送り方向に平行に複数設けられ、該複数の線状材がリブ状の搬送面を構成していることを特徴とする記録装置。
【請求項５】
請求項１から４のいずれか１項に記載の記録装置において、前記可撓性シートは、前記先端保持部よりも更に先に展開可能で平坦な載置面を有する延長部を備え、前記延長部には前記可撓性シートを幅方向に張る幅方向テンション付与手段が設けられていることを特徴とする記録装置。
【請求項６】
被記録媒体を送る給送部と、
前記給送部により給送される前記被記録媒体に記録を実行する記録部と、
前記記録部から排出される前記被記録媒体を受ける排出媒体スタック部と、を備え、
前記排出媒体スタック部は、
排出される前記被記録媒体を載置する可撓性シートと、
排出される前記被記録媒体を受け入れる側である前記可撓性シートの基端側を保持する基端保持部と、
前記可撓性シートの先端側を保持する先端保持部と、
前記先端保持部よりも更に先に展開可能で平坦な載置面を有する延長部とを備え、
前記基端保持部と先端保持部との間および前記延長部には、前記可撓性シートを幅方向に張る幅方向テンション付与手段が設けられていることを特徴とする記録装置。
【請求項７】
請求項６において、前記基端保持部と先端保持部との間及び／又は前記延長部において、前記可撓性シートを所定形状に保形する保形部材を備えることを特徴とする記録装置。
【請求項８】
排出される被記録媒体を載置する可撓性シートと、
排出される前記被記録媒体を受け入れる側である前記可撓性シートの基端側と先端側との間で当該可撓性シートを所定形状に保形する保形部材と、
を備えることを特徴とする排出媒体スタック装置。
【請求項９】
請求項８に記載の排出媒体スタック装置において、前記保形部材は線状材であり、前記可撓性シートは前記線状材により送り方向に凹曲面に保形されていることを特徴とする排出媒体スタック装置。
【発明の詳細な説明】
【技術分野】
【０００１】
本発明は、大型のロール紙等、特に幅４２０ｍｍ以上の大型の被記録媒体に記録をするための大型の記録装置及び排出媒体スタック装置に関するものである。
【背景技術】
【０００２】
特許文献１に示す従来の大型プリンタは、上部奥側から下部手前側に順次位置する給送部、記録部及び排出媒体スタック部を備え、給送部から給送される被記録媒体である用紙が前記記録部で記録を実行されて前記排出媒体スタック部へ排出されるようになっている。記録後の用紙を受ける排出媒体スタック部は、布製のシートで構成されている。
【０００３】
布は可撓性であり、それ自体で一定の形状を保つことはできず、用紙の送り方向で大きく撓むため、比較的大きな荷重が一旦掛かるとその荷重の掛かった部分が大きく凹んで、そこに用紙が滞りがちになる。一方、排出媒体スタッカ部を剛性を有する板材で構成すると前記「滞り」は解消できるが、折り畳みの設計の複雑さや不使用時の収納場所、あるいはコスト高になる等の問題がある。
【特許文献１】特開２０００−１５９４１２号公報
【発明の開示】
【発明が解決しようとする課題】
【０００４】
本発明の目的は、布製の可撓性シートであっても、大きな荷重が掛かったときに大きく凹むことの無い、保形性のある排出媒体スタック装置を備えた記録装置及び排出媒体スタック装置を提供することにある。
【課題を解決するための手段】
【０００５】
上記課題を達成するため、本発明の第１の態様に係る記録装置は、被記録媒体を送る給送部と、前記給送部により給送される前記被記録媒体に記録を実行する記録部と、前記記録部から排出される前記被記録媒体を受ける排出媒体スタック部とを備え、前記排出媒体スタック部は、排出される前記被記録媒体を載置する可撓性シートと、排出される前記被記録媒体を受け入れる側である前記可撓性シートの基端側と先端側との間で当該可撓性シートを所定形状に保形する保形部材とを備えることを特徴とするものである。
【０００６】
記録部で記録された被記録媒体は排出方向に移行してその先端が排出媒体スタック部の可撓性シートに当接するときに、被記録媒体の自重と搬送力により可撓性シートに荷重が掛かる。この可撓性シートの前記荷重の掛かった部分は局部的に撓みがちとなるが、当該保形部材が荷重を支持して可撓性シートの局部的な変形を防止する。従って、可撓性シート上に被記録媒体が滞る虞がなく、被記録媒体を滑らかに可撓性シート上で所定位置まで搬送することができる。
【０００７】
また、本発明の第２の態様に係る記録装置は、前記第１の態様における記録装置おいて、前記排出媒体スタック部は、排出される前記被記録媒体を受け入れる側である前記可撓性シートの基端側を保持する基端保持部と、前記可撓性シートの先端側を保持する先端保持部とを備え、前記保形部材は、前記基端保持部と先端保持部との間で前記可撓性シートを所定形状に保形することを特徴とするものである。
【０００８】
本態様によれば、前記保形部材は前記基端保持部と先端保持部との間で前記可撓性シートを所定形状に保形するので、一層確実に可撓性シートの局部的な変形を防止することができ、被記録媒体を滑らかに可撓性シート上で所定位置まで搬送することができる。
【０００９】
また、本発明の第３の態様に係る記録装置は、前記第１の態様又は第２の態様における記録装置において、前記保形部材は線状材であり、前記可撓性シートは前記線状材により送り方向に凹曲面に保形されていることを特徴とするものである。
【００１０】
本態様によれば、前記保形部材は線状材であるため曲がりに対する弾性力を備えて保形できる。従って、前記第１の態様又は第２の態様における作用効果に加えて、その弾性力に基づくクッション性をもって被記録媒体をソフトに受け入れ且つ保持することができ、る。  
更に、当該可撓性シートは送り方向に凹曲面に保形されているので、記録部で記録された後に被記録媒体の先端が凹曲面内に移行して可撓性シートに当接する際に、該被記録媒体は凹曲面にガイドされつつ進入する。従って、当該被記録媒体の先端は前記凹曲面形状の可撓性シートの表面に滑らかに案内されて進行し、凹曲面内に保持されることになる。
【００１１】
また、本発明の第４の態様に係る記録装置は、前記第３の態様における記録装置において、前記線状材は送り方向に平行に複数設けられ、該複数の線状材がリブ状の搬送面を構成していることを特徴とするものである。
【００１２】
本態様によれば、前記第３の態様の作用効果に加えて、被記録媒体の裏面はリブ状の搬送面で支持されるため、被記録媒体の裏面と可撓性シートとの接触面積が小さくなり、被記録媒体を滑らかに下流側へ移行させることができる。
【００１３】
また、本発明の第５の態様に係る記録装置は、前記第１の態様から第４の態様のいずれか１つの記録装置において、前記可撓性シートは、前記先端保持部よりも更に先に展開可能で平坦な載置面を有する延長部を備え、前記延長部には前記可撓性シートを幅方向に張る幅方向テンション付与手段が設けられていることを特徴とするものである。
【００１４】
排出される被記録媒体が長尺なものになると、可撓性シートとの接触面積が大きくなるので、被記録媒体と可撓性シートとの間の摩擦力も大きくなり、下流側への進行に対する負荷が増す。  
本態様によれば、幅方向テンション付与手段により可撓性シートが幅方向に張られて平坦な載置面を有する延長部の部分では、その平坦性によって被記録媒体と可撓性シートとの間の搬送抵抗が小さくなる。従って、前記第１の態様から第４の態様のいずれか１つの態様の作用効果に加えて、排出される被記録媒体が長尺であっても、無理なく滑らかに下流側まで進行させることができる。
【００１５】
また、本発明の第６の態様に係る記録装置は、被記録媒体を送る給送部と、前記給送部により給送される前記被記録媒体に記録を実行する記録部と、前記記録部から排出される前記被記録媒体を受ける排出媒体スタック部とを備え、前記排出媒体スタック部は、排出される前記被記録媒体を載置する可撓性シートと、排出される前記被記録媒体を受け入れる側である前記可撓性シートの基端側を保持する基端保持部と、前記可撓性シートの先端側を保持する先端保持部と、前記先端保持部よりも更に先に展開可能で平坦な載置面を有する延長部とを備え、前記基端保持部と先端保持部との間および前記延長部には、前記可撓性シートを幅方向に張る幅方向テンション付与手段が設けられていることを特徴とするものである。
【００１６】
本態様によれば、前記可撓性シートの基端保持部と先端保持部との間および前記延長部に、前記可撓性シートを幅方向に張る幅方向テンション付与手段が設けられているので、該可撓性シートはその幅方向にテンションが掛けられることで平坦な面となり、皺もなくなり、被記録媒体の滑らかな搬送が可能となる。
【００１７】
また、本発明の第７の態様に係る記録装置は、上記第６の態様における記録装置において、前記基端保持部と先端保持部との間及び／又は前記延長部において、前記可撓性シートを所定形状に保形する保形部材を備えることを特徴とするものである。
【００１８】
本態様によれば、前記テンション付与手段による作用効果に加えて、当該保形部材により可撓性シートが保形されているので、記録部で記録された後に被記録媒体の先端が移行して可撓性シートに当接するときに、一層、被記録媒体の滑らかな搬送が可能となる。
【００１９】
また、本発明の第８の態様に係る排出媒体スタック装置は、排出される被記録媒体を載置する可撓性シートと、排出される前記被記録媒体を受け入れる側である前記可撓性シートの基端側と先端側との間で当該可撓性シートを所定形状に保形する保形部材とを備えることを特徴とするものである。  
本態様によれば、第１の態様と同様に、可撓性シート上に被記録媒体が滞る虞がなく、被記録媒体を滑らかに可撓性シート上で所定位置まで搬送することができる。
【００２０】
また、本発明の第９の態様に係る排出媒体スタック装置は、前記第８の態様における排出媒体スタック装置において、前記保形部材は線状材であり、前記可撓性シートは前記線状材により送り方向に凹曲面に保形されていることを特徴とするものである。
【００２１】
本態様によれば、前記保形部材は線状材であるため弾性力を備えて保形できる。従ってその弾性力に基づくクッション性をもって被記録媒体をソフトに受け入れ且つ保持することができる。  
更に、当該可撓性シートは送り方向に凹曲面に保形されているので、記録部で記録された後に被記録媒体の先端が凹曲面内に移行して可撓性シートに当接する際に、該被記録媒体は凹曲面にガイドされつつ進入する。従って、当該被記録媒体の先端は前記凹曲面形状の可撓性シートに滑らかに案内されて、凹曲面内に保持されることになる。
【発明を実施するための最良の形態】
【００２２】
以下、本願発明の実施の形態を図面に基づいて説明する。  
図１は本発明の実施例１に係る大型の記録装置の斜視図であり、図２は同記録装置の概略の側断面図であり、排出媒体スタック装置の延長部が展開された状態を示す。図３は同排出媒体スタック装置を後方から見た拡大斜視図であり、図４は同排出媒体スタック装置における保形部材の線状材がリブとして機能する様子を示す説明図であり、図５は同排出媒体スタック装置における延長部の可撓性シートが幅方向にテンションが掛けられた実施形態を示す斜視図である。図６は被記録媒体の排出時の状況を示す側面図である。
【００２３】
［実施例１］
図１において、符号１は本発明を適用した大型記録装置である大型プリンタである。この大型プリンタ１は、被記録媒体Ｐを送る給送部３と、給送部３により給送される被記録媒体Ｐに記録を実行する記録部５と、記録部５から排出される前記被記録媒体Ｐを受ける排出媒体スタック装置（排出媒体スタック部）７を備えている。図２に示したように、給送部３と、記録部５と、排出媒体スタック装置７は、この順にプリンタ本体の上部奥側から下部手前側に位置する構成であり、被記録媒体Ｐの搬送路は本実施例では約６０度の傾斜面になっている。
【００２４】
前記給送部３は、大型プリンタ１の上部後方へ突き出るように形成されており、その内部には図２に示す如く、被記録媒体Ｐがロール状に巻かれた２つのロール媒体９がセットされている。このロール媒体９から繰り出された被記録媒体Ｐは、記録部５へ供給されるようになっている。
【００２５】
前記記録部５は公知の構造のものであり、この記録部により記録された被記録媒体Ｐは、図示しない排出ローラの作用で下部前方へ向かって排出され、被記録媒体Ｐの先端は、図２に示した如く記録部５を内包するプリンタ本体下方の左右の脚部間に設けられている排出媒体スタック装置７へ向かう。すなわち、記録が終了した被記録媒体Ｐは、所定の位置で図示しないカッタで切断され、切断された被記録媒体Ｐは排出媒体スタック装置７上に落下してそこに保持される。
【００２６】
なお図１中、符号１０で示す部材は長尺シート受け装置である。該長尺シート受け装置１０は、排出媒体スタック装置７とは別に設けられ、プリンタ本体前方の床面上に展開されて、下降してくる記録実行済みの長尺な印刷物を受けるためのものである。すなわち、長尺シート受け装置１０は、被記録媒体Ｐを長尺寸法で記録し排出するときに使用するもので、布体１０Ａをプリンタの前側に展開して長尺の被記録媒体Ｐを支持するようにして使用する。
【００２７】
次に、本発明の特徴的構成を備えている排出媒体スタック装置７についてその一例を詳しく説明する。排出媒体スタック装置７は、図２に示したように、排出される被記録媒体Ｐを受け入れる入口がプリンタ本体の前側に開口可能に位置し、被記録媒体Ｐを載置して保持する可撓性シート１１等の本体部分はプリンタ本体下方の左右の脚部間に設けられている。
【００２８】
該排出媒体スタック装置７は、排出される被記録媒体Ｐを保持する可撓性シート１１を備える。該可撓性シート１１は、本実施例では布材であるが、合成樹脂シート、不織布シートなど可撓性を有し被記録媒体を支持できるものであれば種類を問わない。図２に示す如く、可撓性シート１１の基端である上端側は、２本の支持アーム１３の上端間に架設された水平な基端保持部１５に保持されている。また、可撓性シート１１の先端である下端側は、支持アーム１３の下端間に固定された水平の先端保持部１７に保持されている。前記支持アーム１３はその下端（先端保持部１７の位置）を支点に基端保持部１５側が揺動可能であり、前方に揺動することにより、排出される被記録媒体Ｐを受け入れる入口がプリンタ本体の前側に開口するようになっている。
【００２９】
本実施例では、該可撓性シート１１は、先端保持部１７よりも更に先に向かって展開可能な延長部１９を一連に備えている。図１は延長部１９がプリンタ本体の下方に収容されている状態を示し、図２は延長部１９が先方に展開された状態を示す。図５は延長部１９が展開された状態における当該排出媒体スタック装置７のみを取り出して示した全体斜視図である。
【００３０】
展開された状態の延長部１９は、２本のほぼ水平な支持アーム２１の間で可撓性シート１１が張られた状態で平坦面となっている。すなわち、可撓性シート１１の両側辺は、後述する幅方向テンション付与手段３１によって支持アーム２１に張られた状態で支持されている。また、延長部１９の先端２３は、支持アーム２１の先端部２５間に架設された延長部支持棹２７に保持されている。尚、延長部１９の収容状態（図１の状態）では、前記支持アーム２１は可撓性シート１１から外され、プリンタ本体下面部等の邪魔にならない所に収容されている。
【００３１】
次に、本発明の特徴的構成についてその作用と共に説明する。図３〜図５に示す如く、基端保持部１５と先端保持部１７との間の可撓性シート１１には、保形性の線状材である複数の金属線であるワイヤ２９が可撓性シート１１の面に対して、被記録媒体Ｐの排出方向に沿って互いに平行に取り付けられて一体化されている。保形部材が線状材であるため曲がりに対する弾性力を備えて保形できる。従って、その弾性力に基づくクッション性をもって被記録媒体Ｐをソフトに受け入れ且つ保持することができる。
【００３２】
すなわち、保形部材である当該ワイヤ２９により、可撓性シート１１の送り方向の搬送面が凹曲面形状に保形され、図６に示す如く、被記録媒体Ｐの先端が可撓性シート１１上に当接するときにも当該ワイヤ２９の保形力によって凹曲面形状が維持され、被記録媒体Ｐの自重及び搬送力により可撓性シート１１が大きく撓んでその部分に被記録媒体Ｐが滞る問題が発生しない。すなわち、当該ワイヤ２９が荷重を支持して可撓性シートの局部的な変形を防止する。これにより、当該被記録媒体Ｐは矢印３０の方向へ滑らかに進行することができる。
【００３３】
保形部材としては、線状材として前記ワイヤ２９の他に合成樹脂製の線材や細長いチューブ、更に竹ひご等を適用することができる。なお、保形部材は線状材に限定されず、板状、メッシュ状の材料等が挙げられる。また、ワイヤ２９による保形形状は、図３及び図５に示す如く可撓性シート１１が送り方向に凹曲面を形成する形状が好ましいが、直線的形状も適用可能である。また、保形性の線状材を可撓性シート１１に取り付ける位置は、可撓性シート１１の裏面またはおもて面でもよいし、あるいは可撓性シート１１を一部袋状に加工してその中に収納する方法でも良い。
【００３４】
各ワイヤ２９間における可撓性シート１１は、図４に示す如く、可撓性シート１１の幅方向で撓んだ状態であり、従って可撓性シート１１の上面側は各ワイヤ２９の部分が線状に浮き出ることにより全体としてリブ状の搬送面を構成している。これにより、被記録媒体Ｐの裏面はリブ状の搬送面で支持されることになり、被記録媒体Ｐの裏面と可撓性シート１１との接触面積が小さくなり、被記録媒体Ｐを滑らかに下流側へ移行させることができる。
【００３５】
図５に示す如く、延長部１９には、可撓性シート１１の幅方向での撓みをなくして平坦面に張るための幅方向テンション付与手段３１が設けられている。本実施形態では、幅方向テンション付与手段３１は、可撓性シート１１の各側辺の２カ所に設けられたテンションフック３３である。図７に拡大して示したように、各テンションフック３３は、一端が可撓性シート１１に接着、溶着または適宜の固定具で固定されており、他端にはフック部３５が形成されている。フック部３５は支持アーム２１に対してスナップ式に固定できるように、弾性変形可能に構成されている。
【００３６】
図５に示す如く、テンションフック３３により４カ所で可撓性シート１１が支持アーム２１に固定されることにより、可撓性シート１１は図５の矢印３７で示す如く幅方向にテンションが掛けられて皺の無い平坦面に張られた状態になっている。また、延長部１９では、先端保持部１７と延長部支持棹２７との間で可撓性シート１１が搬送方向にもテンションが掛けられているようにしてもよい。このような構成を採ることにより、リブ状の搬送面を滑らかに搬送されてきた被記録媒体Ｐが、延長部１９においても連続して滑らかに最終位置まで移行することができる。幅方向テンション付与手段３１は、テンションフック３３の他にも、面テープを使用したり、支持アーム２１への他の係止手段など適宜の固定手段を適用することができる。
【００３７】
［実施例２］
図８は他の実施例に係り、排出媒体スタック装置の延長部が展開された状態を示す斜視図である。この実施例においては、基端保持部１５と先端保持部１７との間に設けたワイヤ２９が延長部１９にも同様に設けられている。これにより、延長部１９において、先端保持部１７と延長部支持棹２７との間で可撓性シート１１に保形性が付与され、更に前記リブ条搬送面となり、前記作用効果が当該延長部１９においても得られる。
【００３８】
尚、延長部１９へのワイヤ２９の設け方として、基端保持部１５と先端保持部１７との間に設けたワイヤ２９を延長部１９まで延長しても良いし、基端保持部１５と先端保持部１７との間に設けたワイヤ２９とは別個のワイヤを延長部１９に用いても良い。
【００３９】
［実施例３］
図９は更に他の実施例に係り、排出媒体スタック装置の延長部が展開された状態を示す斜視図である。上述のように可撓性シート１１を幅方向にテンションを掛けて平坦面に張る部分としては、延長部１９の他に、図９に示したように、基端保持部１５と先端保持部１７との間にも適用することができる。この場合、支持アーム１３に対して適宜の補助アーム３９を設けて、補助アーム３９に対して幅方向テンション付与手段３１であるテンションフック３３を固定させるなどの構造を採ることができる。
【００４０】
［実施例４］
図１０は更に他の実施例に係る排出媒体スタック装置の斜視図である。本実施例に係る排出媒体スタック装置７には前記実施例の延長部１９は設けられていない。可撓性シート１１が基端保持部１５と先端保持部１７との間だけに存在する構造である。  
先端支持部１７は前記指示アーム１３の下端に固定されてはない。そして、基端保持部１５と先端保持部１７との間は図５に示す実施形態よりも長く設定され、先端保持部１７に近い側にはほぼ平坦となる平坦部分１２が長く延びる形態となるように、保形部材であるワイヤ２９が全長に設けられている。
【００４１】
この構造の場合、平坦部分１２の長さの設定にもよるが、先端保持部１７を、図１における非使用時の前記延長部支持棹２７の位置に固定する構成にすることが可能であり、当該排出媒体スタック装置の使用時と非使用時の付け替えを不要にすることができ、便利である。
【図面の簡単な説明】
【００４２】
【図１】本発明の実施例１に係る大型の記録装置の斜視図。
【図２】同記録装置の概略の側断面図であり、排出媒体スタック装置の延長部が展開された状態を示す。
【図３】同排出媒体スタック装置を後方から見た拡大斜視図。
【図４】同排出媒体スタック装置における保形部材の線状材がリブとして機能する様子を示す説明図。
【図５】同排出媒体スタック装置における延長部の可撓性シートが幅方向にテンションが掛けられた実施形態を示す斜視図。
【図６】被記録媒体の排出時の状況を示す側面図。本発明に係る大型の記録装置における排出装置の斜視図。
【図７】幅方向テンション付与手段の拡大斜視図。大型記録装置における排出装置の側断面図。
【図８】他の実施例に係り、排出媒体スタック装置の延長部が展開された状態を示す斜視図。
【図９】更に他の実施例に係り、排出媒体スタック装置の延長部が展開された状態を示す斜視図。
【図１０】更に他の実施例に係る排出媒体スタック装置の斜視図。
【符号の説明】
【００４３】
１  大型プリンタ、３  給送部、５  記録部、７  排出媒体スタック装置（排出媒体スタック部）、９  ロール媒体、１０  長尺シート受け装置、１０Ａ  布体、１１  可撓性シート、１３  支持アーム、１５  基端保持部、１７  先端保持部、１９  延長部、２１  支持アーム、２３  延長部の先端、２５  支持アームの先端、２７  延長部支持棹、２９  ワイヤ、３０  矢印、３１  幅方向テンション付与手段、３３  テンションフック、３５  フック部、３７  矢印、３９  補助アーム、Ｐ  被記録媒体
【図１】
2008239288.tif 000003
【図２】
2008239288.tif 000004
【図３】
2008239288.tif 000005
【図４】
2008239288.tif 000006
【図５】
2008239288.tif 000007
【図６】
2008239288.tif 000008
【図７】
2008239288.tif 000009
【図８】
2008239288.tif 000010
【図９】
2008239288.tif 000011
【図１０】
2008239288.tif 000012